(57)【要約】【課題】小型で見栄えの良いカード用コネクタ装置を提供すること。【解決手段】本発明のカード用コネクタ装置は、ハウジング２内でカードＣと電気的な接続を行う接続位置と、カードＣをハウンジング２の外側に押し出す排出位置との間で、ハウジング２に対して移動可能なスライド部材１２（移動体８）を備えるとともに、スライド部材１２を前記接続位置でロックするロック機構と、前記ロック機構によるスライド部材１２のロック状態を解除する操作部５５を有するロック解除機構とを備え、移動体８を形成するトレイ１０には、ハウジング２のカード挿入口４を閉塞するための閉塞部１０ｂが設けられ、この閉塞部１０ｂが変位可能な変位部８０を有するとともに、変位部８０を変位させることにより操作部５５を操作可能であることを特徴とする。【選択図】  図７
2006127809.tif 000002
【特許請求の範囲】
【請求項１】
カードが挿入されるカード挿入口を有するハウジングと、
前記カードを載置可能な載置部を有するとともに、前記ハウジング内で前記カードと電気的な接続を行う接続位置と、前記カードを前記ハウンジングから取り出す排出位置との間で、前記ハウジングに対して移動可能な移動体と、
前記移動体を前記排出位置に向けて付勢する付勢手段と、
前記移動体を前記接続位置でロックするロック機構と、
前記ロック機構による前記移動体のロック状態を解除する操作部を有するロック解除機構と、
を備え、
前記移動体には、前記ハウジングの前記カード挿入口を閉塞するための閉塞部が設けられ、この閉塞部が変位可能な変位部を有するとともに、前記変位部を変位させることにより前記操作部を操作可能であることを特徴とするカード用コネクタ装置。
【請求項２】
前記閉塞部の前記変位部と前記操作部とが操作部の操作方向に沿って並設され、前記変位部は、前記操作部の少なくとも一部を前方から隠すように配置されていることを特徴とする請求項１記載のカード用コネクタ装置。
【請求項３】
前記変位部が弾性変形可能であることを特徴とする請求項１又は請求項２記載のカード用コネクタ装置。
【請求項４】
前記閉塞部は、変位部に結合された本体部を有し、前記変位部が前記本体部に対して回動可能であることを特徴とする請求項１又は請求項２記載のカード用コネクタ装置。
【請求項５】
前記閉塞部は、前記ハウジングが組み込まれる筐体のフロントパネルと面一に配設されることを特徴とする請求項１から請求項４のいずれかに記載のカード用コネクタ装置。
【請求項６】
前記ロック機構は、前記接続位置で前記移動体と係止することによりハウジングに対する移動体の移動を規制する係止部材を有し、
前記ロック解除機構は、前記接続位置で前記移動体と前記係止部材との係止状態を解除する解除操作手段を有している、
ことを特徴とする請求項１から請求項５のいずれかに記載のカード用コネクタ装置。
【請求項７】
前記解除操作手段は、前記移動体の移動方向に沿って移動可能な可動体と、この可動体の移動に伴って前記移動体から前記係止部材を離脱させる作用部と、前記可動体を移動操作するための前記操作部とを含むことを特徴とする請求項１又は請求項６に記載のカード用コネクタ装置。
【請求項８】
前記移動体は、
カードが載置されるトレイと、
前記トレイに結合され、前記付勢手段から付勢力を受けつつハウジングに対して移動するとともに、前記接続位置で前記係止部材が係止されるスライド部材と、
を含むことを特徴とする請求項１から請求項７のいずれかに記載のカード用コネクタ装置。
【発明の詳細な説明】
【技術分野】
【０００１】
本発明は、携帯電話やＰＣ等の各種の携帯情報端末、デジタルカメラ、あるいは、デジタルＡＶ機器等の電子装置に対して記憶媒体等のカード状の媒体を挿入・排出するとともに、このカード状の媒体に設けられた外部接続端子と前記電子装置の回路基板に形成された電子回路との電気的な接続を果たすためのカード用コネクタ装置に関する。
【背景技術】
【０００２】
従来から、パソコン、ビデオカメラ、デジタルカメラ、携帯電話等の電子装置に対して着脱自在に装着される可搬型の媒体として、ＰＣカード、メモリカード等のカード状の記憶媒体や通信用カード（以下、単に、カードという）等が知られている。このようなカードは、電子装置に搭載されたカード用コネクタ装置を介して、電子装置に対して挿入・排出されるとともに、その外部接続端子が電子装置の回路基板に形成された電子回路と電気的に接続される。
【０００３】
前記カード用コネクタ装置は、例えば、電子装置に取り付け固定されるハウジングと、ハウジングに取り付けられてカードを保持するトレイ（カードホルダ）とを備えている。前記トレイは、同じくハウジングに取り付けられたスライド部材と一体で、ハウジングに対してカードの挿入／排出方向に移動することができる。また、スライド部材は、カードの外部接続端子を電子装置の前記電子回路に電気的に接続する接続位置（カード挿着位置）と、カードをトレイから取り出すことができるようにトレイ及びこれに保持されたカードをハウンジングの外部に押し出す排出位置との間で移動することができるとともに、バネ等の付勢手段により前記排出位置へ向けて付勢されている。
【０００４】
また、前記カード用コネクタ装置は、スライド部材を前記接続位置に保持（ロック）するためのロック機構を備えている。このようなロック機構としては、例えば、ハート型のカム溝と、一端がハウジングに支持されかつ他端が前記カム溝に摺動状態で係合するロックピンとからなるものが知られている（例えば、特許文献１参照）。
【０００５】
具体的に、このハート型のカム溝を用いたロック機構では、トレイをハウジング内に押し込んで、スライド部材を付勢手段の付勢力に抗して接続位置へ向けてスライドさせると、それに伴って、前記ロックピンの他端がハート型のカム溝をトレースする。そして、スライド部材が接続位置に達すると、ロックピンの他端がカム溝の中央の窪んだ係止部に係止し、スライド部材がハウジングに対して位置決め固定される。すなわち、スライド部材が接続位置でロックされる。
【０００６】
一方、このロック状態から、トレイをハウジング内に押し込んで、スライド部材を付勢手段の付勢力に抗してハウジングの奥へと更にスライドさせると、ロックピンの他端とカム溝の前記係止部との係止状態が解除される。そのため、この状態でトレイ及びスライド部材に対する押圧力を解除すると、付勢手段による付勢力によりスライド部材が排出位置へと移動され、これにより、トレイ及びこれに保持されたカードがハウンジングの外部に押し出される。
【特許文献１】特開２００３−１６５３５６号公報
【発明の開示】
【発明が解決しようとする課題】
【０００７】
しかしながら、前述したハート型のカム溝とロックピンとからなるロック機構においては、スライド部材を接続位置から付勢手段の付勢力に抗してハウジングの奥へと更にスライドさせなければ、ロックピンの他端とカム溝の前記係止部との係止状態を解除することができない。言い換えると、スライド部材を接続位置から更にハウジングの奥へと移動させることができるスペースをハウジング内に確保しなければならない。そのため、ハウジング全体、したがって、コネクタ装置全体が大型化してしまうといった問題がある。
【０００８】
また、ハート型のカム溝を用いないロック機構も考えられるが、その場合には、ロック解除用の操作部が、コネクタ装置を組み込む筐体のフロントパネルに露出して見栄えが悪くなるといった問題がある。
【０００９】
本発明はかかる点に鑑みてなされたものであり、小型で見栄えの良いカード用コネクタ装置を提供することを目的とする。
【課題を解決するための手段】
【００１０】
本発明のカード用コネクタ装置は、カードが挿入されるカード挿入口を有するハウジングと、前記カードを載置可能な載置部を有するとともに、前記ハウジング内で前記カードと電気的な接続を行う接続位置と、前記カードを前記ハウンジングから取り出す排出位置との間で、前記ハウジングに対して移動可能な移動体と、前記移動体を前記排出位置に向けて付勢する付勢手段と、前記移動体を前記接続位置でロックするロック機構と、前記ロック機構による前記移動体のロック状態を解除する操作部を有するロック解除機構とを備え、前記移動体には、前記ハウジングの前記カード挿入口を閉塞するための閉塞部が設けられ、この閉塞部が変位可能な変位部を有するとともに、前記変位部を変位させることにより前記操作部を操作可能であることを特徴とする。
【００１１】
この構成によれば、移動体を接続位置から付勢手段の付勢力に抗してハウジングの奥へと更にスライドさせることにより移動体の接続位置におけるロック状態を解除するのではなく、操作部を操作することにより移動体のロック状態を解除するため、移動体を接続位置から更にハウジングの奥へと移動させることができるスペースをハウジング内に確保しなくても済む。そのため、ハウジング全体、したがって、コネクタ装置全体をコンパクトに形成することができる（装置の小型化を図ることができる）。
【００１２】
また、上記構成によれば、カード挿入口を閉塞するための移動体の閉塞部の変位部によって操作部を操作できるようにしたため、操作部を敢えて外部に露出させる必要がなくなり、見栄えの良い外観を提供することができる（閉塞部は、カード挿入口を閉塞するというその機能から、一般に見栄え良く形成されるものである）。
【００１３】
本発明のカード用コネクタ装置においては、前記閉塞部の前記変位部と前記操作部とが操作部の操作方向に沿って並設され、前記変位部は、前記操作部の少なくとも一部を前方から隠すように配置されていることが好ましい。
【００１４】
この構成によれば、閉塞部の変位部と操作部とが操作部の操作方向に沿って並設されているため、変位部による操作部の操作性が良好であり、また、操作部を閉塞部の変位部によって隠しているため、見栄えを効果的に向上させることができる。
【００１５】
本発明のカード用コネクタ装置においては、前記変位部は弾性変形可能であることが好ましい。この構成によれば、変位部を簡単に変位させることができ、また、変位部による操作部の操作性も良好となる。
【００１６】
本発明のカード用コネクタ装置においては、前記閉塞部は、変位部に結合された本体部を有し、前記変位部が前記本体部に対して回動可能であることが好ましい。
【００１７】
この構成によれば、本体部に対して変位部が回動するように形成されているため、変位部による操作部の操作性が良好であることは勿論のこと、本体部及び変位部の材料をそれぞれの機能に応じた適切な材料の中から個別に選択することもできる。そのため、機能の向上及び製造コストの低減を効果的に行うことが可能になる。
【００１８】
本発明のカード用コネクタ装置においては、前記閉塞部は、前記ハウジングが組み込まれる筐体のフロントパネルと面一に配設されることが好ましい。この構成によれば、コネクタ装置及びこれが組み込まれる筐体（例えば電子装置の筐体）全体の見栄えを良くすることができる。
【００１９】
本発明のカード用コネクタ装置においては、前記ロック機構は、前記接続位置で前記移動体と係止することによりハウジングに対する移動体の移動を規制する係止部材を有し、前記ロック解除機構は、前記接続位置で前記移動体と前記係止部材との係止状態を解除する解除操作手段を有していることが好ましい。
【００２０】
この構成によれば、カードと電気的な接続を行う接続位置で解除操作手段により移動体と係止部材との係止状態を解除できるため、すなわち、移動体を接続位置から付勢手段の付勢力に抗してハウジングの奥へと更に移動させることなく移動体のロック状態を解除することができるため、移動体を接続位置から更にハウジングの奥へと移動させることができるスペースをハウジング内に確保しなくても済む。そのため、ハウジング全体、したがって、コネクタ装置全体をコンパクトに形成することができる（装置の小型化を図ることができる）。
【００２１】
また、上記構成において、ロック機構及びロック解除機構は、カム溝やロックピン等を用いた複雑な機構ではなく、単に移動体に対して係止部材を係脱させるだけの機構であるため、移動体のロック及びその解除を簡単かつ安価に実現できる。
【００２２】
本発明のカード用コネクタ装置においては、前記解除操作手段は、前記移動体の移動方向に沿って移動可能な可動体と、この可動体の移動に伴って前記移動体から前記係止部材を離脱させる作用部と、前記可動体を移動操作するための前記操作部とを含むことが好ましい。
【００２３】
この構成によれば、移動体及び解除操作手段の動作方向が互いに交差することなく一致しており、また、可動体の一方向の動作に連動させて移動体から前記係止部材を離脱させるようになっているため、移動体及び解除操作手段をハウジングにコンパクトに配設して装置の更なる小型化を図ることができるだけでなく、良好な操作性を実現することもできる。
【００２４】
本発明のカード用コネクタ装置においては、前記移動体は、カードが載置されるトレイと、前記トレイに結合され、前記付勢手段から付勢力を受けつつハウジングに対して移動するとともに、前記接続位置で前記係止部材が係止されるスライド部材とを含むことが好ましい。
【００２５】
この構成によれば、互いに別体を成すトレイとスライド部材とにより移動体が形成されているため、トレイ及びスライド部材の材料をそれぞれの機能に応じた適切な材料の中から個別に選択することができる。そのため、機能の向上及び製造コストの低減を効果的に行うことが可能になる。
【発明の効果】
【００２６】
本発明によれば、ハウジングに対して移動可能な移動体に、ハウジングのカード挿入口を閉塞するための閉塞部が設けられ、この閉塞部が変位可能な変位部を有するとともに、変位部を変位させることにより操作部を操作可能であるので、小型で見栄えの良いカード用コネクタ装置を提供できる。
【発明を実施するための最良の形態】
【００２７】
以下、図面を参照しながら、本発明の一実施の形態について説明する。
まず、図１〜図４を特に参照しながら、本発明の一実施の形態に係るカード用コネクタ装置１の構成について説明する。これらの図に示されるように、本実施の形態のカード用コネクタ装置１は、例えばパソコン、ビデオカメラ、デジタルカメラ、携帯電話等の電子装置に対して取り付け固定されるハウジング２を有している。このハウジング２は、例えば合成樹脂等の絶縁材料によって形成されかつ前方及び上方が開口された箱型のハウジング本体２ａ（特に、図３参照）と、ハウジング本体２ａに結合されかつハウジング本体２ａの上部開口を覆う例えば金属製のカバー部材２ｂとを含む。ハウジング本体２ａは、後述するトレイ１０を介してメモリカード等のカード状の媒体（以下、単にカードＣという）が挿入されて収納される収納部３を有しており、また、ハウジング２の前面には、収納部３に連通するカード挿入口４が形成されている。なお、本明細書では、これに限定されないが、便宜上、カード挿入口４が位置する側を「前」、これと反対側を「後」、カバー部材２ｂが位置する側を「上」、これと反対側を「下」として、方向を規定するものとする。
【００２８】
カード挿入口４に対向する収納部３の奥側には、前記トレイ１０を介して収納部３内に収納されるカードＣの外部接続端子と接触する複数のコネクタ端子５・・・が並設されている。これらのコネクタ端子５・・・は、電子装置等の外部の回路基板上の回路パターンと電気的に接続されるようになっている。また、ハウジング本体２ａの両側には、収納部３内に挿入される前記トレイ１０の側縁部を案内するガイド部６，６が設けられている。
【００２９】
また、ハウジング本体２ａには移動体８が取り付けられている。この場合、移動体８は、ハウジング２に対するカードＣの挿入／排出方向（カード挿入口４を横切る図中の矢印方向）に移動可能に取り付けられており、ハウジング本体２ａの一側部に沿って摺動可能に配置されたスライド部材１２と、スライド部材１２に対して結合されかつハウジング本体２ａの収納部３内で移動するトレイ１０とを含む。
【００３０】
トレイ１０は、例えば金属板を折り曲げて形成されており（樹脂等によって形成されていても良い）、カードＣが載置される載置部１０ａと、ハウジング２に対してトレイ１０が完全に挿入された状態でカード挿入口４を閉塞する閉塞部１０ｂと、カードＣの誤挿入を防止するための傾斜状の端面１０ｃとを有している。
【００３１】
また、スライド部材１２は、合成樹脂等の絶縁材料によって形成されるとともに、例えばカードＣの挿入／排出方向に沿って延びるガイドレールに係合しており、このガイドレールに沿ってトレイ１０と一体で移動するようになっている。具体的には、スライド部材１２は、トレイ１０の載置部１０ａに載置されたカードＣの外部接続端子がコネクタ端子５・・・に電気的に接続される接続位置（図２に示される位置）すなわちスライド部材１２の後端面１２ｂがハウジング本体２ａの後端壁２１にほぼ当接する位置と、トレイ１０に対するカードＣの挿脱が可能となるようにトレイ１０がハウンジング２の外部に押し出される排出位置（図４に示される位置）すなわちスライド部材１２の前側の当接端面１２ａがハウジング本体２ａの後述するＬ字型の移動規制壁（ストッパ）１９に当接する位置との間で移動することができる。
【００３２】
また、本実施の形態において、トレイ１０は、連結部材３０を介して、スライド部材１２に対して着脱自在に取り付けられている。具体的には、連結部材３０は、複数箇所で折り曲げられた長尺なバネ片からなり、スライド部材１２の後端部に形成された凹陥状の支持溝１２ｃに支持された前端部３０ａと、スライド部材１２の前端側壁１２ｄに弾性的に当接される後端部３０ｂと、これらの端部３０ａ，３０ｂ間で略Ｖ字型に屈曲形成されかつトレイ１０の側壁に形成された凹部１０ｄに弾性をもって係脱可能に係合する係合凸部３０ｃとを有している。なお、係合凸部３０ｃは、前側斜面部４０と後側平面部４１とを有しており、また、図３に示されるようにスライド部材１２に取り付けられた状態では、ハウジング本体２ａの収納部３内に突出する。
【００３３】
このような連結部材３０を用いてトレイ１０をスライド部材１２に対して取り付ける場合には、例えば、スライド部材１２に対して連結部材３０が取り付けられた図３の状態で、トレイ１０をカード挿入口４側からハウジング２内に水平に押し込み、トレイ１０の後端縁を連結部材３０の係合凸部３０ｃの前側斜面部４０に突き当てる。そして、その突き当て状態から更に前側斜面部４０に沿ってトレイ１０をハウジング２内に押し込むと、連結部材３０は、弾性変形しながら係合凸部３０ｃを含むその前端部３０ｂ側がスライド部材１２の上面に段凹状の空間として形成された逃げ部１２ｅ内に引き込まれ、それにより、トレイ１０のハウジング２内への挿入を許容する。その後、トレイ１０の凹部１０ｄが係合凸部３０ｃと対向する位置まで、トレイ１０がハウジング２内に挿入されると、連結部材３０の係合凸部３０ｃは、トレイ１０から受ける押圧力が解除されるため、その弾性復元力により元の位置に復帰し、トレイ１０の凹部１０ｄ内に弾性的に係合する。すなわち、トレイ１０がスライド部材１２に対して取り付けられる（図２の状態）。また、この時、スライド部材１２に対するトレイ１０の抜けは、係合凸部３０ｃの後側平面部４１が凹部１０ｄの後端面に当て付くことにより防止される。
【００３４】
なお、スライド部材１２は、付勢手段としての圧縮バネ４５により、前記排出位置に向けて付勢されている。この場合、圧縮バネ４５の後端は、ハウジング本体２ａの後端壁２１の内面に突設されたバネ支持部２０（特に、図４参照）に支持されるとともに、圧縮バネ４５の前端側は、スライド部材１２の下面に形成されかつ逃げ部１２ｅ内で終端するバネ挿通溝を通って、このバネ挿通溝の端壁であるスライド部材１２のバネ突き当て面１２ｆに当接支持されている。
【００３５】
また、本実施の形態のカード用コネクタ装置１は、スライド部材１２（移動体８）を前記接続位置でロックするロック機構と、このロック機構によるスライド部材１２のロック状態を解除するロック解除機構とを有している。
【００３６】
前記ロック機構は、スライド部材１２の上面に略楔状の溝１２ｈを設けることにより形成されたフック状の係止部１２ｇと、前記接続位置で係止部１２ｇの端面４９と弾性的に係止する係止部材５０とを含む。この場合、係止部材５０は、スライド部材１２と対向するカバー部材２ｂの部位を下側に向けて切り起こすことによって形成された舌片からなり（図１及び図４参照）、下向きの付勢力をもってスライド部材１２の移動経路に突出している。また、係止部１２ｇは、係止部材５０を下側から押し上げることができるように前方に立ち上がる傾斜面７０を有している。
【００３７】
一方、前記ロック解除機構は、スライド部材１２を前記接続位置から移動させることなく、その接続位置でスライド部材１２の係止部１２ｇと係止部材５０との係止状態を解除する解除操作手段を有している。具体的に、この解除操作手段は、スライド部材１２と平行に配置されかつスライド部材１２の移動方向に沿って移動可能な長尺プレートからなる可動体６０を有している。この可動体６０の後端側は、スライド部材１２の係止部１２ｇを取り囲むように略Ｕ字型に折り返されており、その折り返された端部には、係止部材５０と当接してこれを下側から押し上げることにより係止部１２ｇから離脱させることができる作用部６０ａが設けられている。この作用部６０ａは、斜め前方に立ち上がる傾斜面５３（特に、図４の（ｂ）参照）を有しており、可動体６０の移動に伴って係止部材５０を傾斜面５３に沿って無理なく押し上げることができるようになっている。また、可動体６０の前端部は、ハウジン本体２ａの前端壁２２から前方に突出しており、その突出端部には、例えばＬ字型の操作部５５が設けられている。
【００３８】
また、可動体６０の途中には側方に延出する延出部６０ｂが形成されており、この延出部６０ｂがハウジング本体２ａの前端壁２２と前述した移動規制壁１９とに突き当たることにより、可動体６０の移動範囲が規定されるようになっている。この場合、延出部６０ｂは、ハウジング本体２ａの前端壁２２とＬ字型の移動規制壁１９とによって区画された空間内に移動可能に位置されている。また、延出部６０ｂの前端面６９（図４の（ｂ）参照）と移動規制壁１９との間には、延出部６０ｂをハウジング本体２ａの前端壁２２に対して当接させる方向に付勢する圧縮バネ６３が介挿されている。
【００３９】
したがって、このような構成によれば、操作部５５は、スライド部材１２の係止部１２ｇから係止部材５０を離脱させるためにハウジング２に対して押し込まれる作用位置すなわち延出部６０ｂの後端が圧縮バネ６３の付勢力に抗して移動規制壁１９に当接される位置（図８に示される位置）と、ハウジング２から所定量離間される待機位置すなわち延出部６０ｂの前端面６９が圧縮バネ６３の付勢力によってハウジング本体２ａの前端壁２２に当接される位置（図１〜図３に示される位置）との間で移動できる。なお、可動体６０は、操作部５５が前記作用位置に位置された状態で、前記接続位置にあるスライド部材１２の後端よりも後側に突出しないように、その長さが設定されている。
【００４０】
また、本実施の形態において、トレイ１０の閉塞部１０ｂは、トレイ１０がハウジング２内に完全に挿入された（したがって、スライド部材１２が前記接続位置に位置された）状態（図６の状態）で前記待機位置にある操作部５５の前方を覆うように側方に長く延在している。そして、操作部５５と対向する閉塞部１０ｂの部位は、弾性的に変形することにより変位可能な変位部８０として形成されており、この変位部８０は、トレイ１０がハウジング２内に完全に挿入された状態で、その変位動作により操作部５５を前記作用位置まで移動操作できるようになっている。すなわち、本実施の形態においては、変位部８０と操作部５５とが操作部５５の操作方向に沿って並設され、操作部５５の少なくとも一部を前方から隠すように変位部８０が配置されているものである。閉塞部１０ｂにこのような変位部８０を設ける１つの手段としては、閉塞部１０ｂ全体または変位部８０のみをエラストマー等の弾性変形可能な材料によって形成することが挙げられる。
【００４１】
なお、本実施の形態において、トレイ１０ｂの閉塞部１０ｂは、図６に示されるように、ハウジング２（コネクタ装置１）が組み込まれる電子装置等の筐体１００のフロントパネル１００ａと面一に配設されるようになっている。
【００４２】
次に、図４〜図８を参照しながら、上記構成のカード用コネクタ装置１の動作について説明する。図４は、スライド部材１２が圧縮バネ４５の付勢力により排出位置に位置され、したがって、スライド部材１２に結合されたトレイ１０がカード挿入口４を通じてハウジング２の外側に押し出された状態を示している。この状態では、図示のようにトレイ１０の載置部１０ａにカードＣを載置することができる。なお、この図４の状態において、操作部５５は、圧縮バネ６３の付勢力により待機位置に位置されている。
【００４３】
次に、トレイ１０の載置部１０ａにカードＣを載置した図４の状態から、例えばトレイ１０の閉塞部１０ｂを手の指で押圧することにより、トレイ１０をカート挿入口４を通じてハウジング２内に押し込む（挿入する）。これにより、スライド部材１２は、圧縮バネ４５の付勢力に抗して接続位置へと移動し始め、その係止部１２ｇの傾斜面７０が係止部材５０に当て付くようになる。その状態が図５に示されている。
【００４４】
この図５の状態からトレイ１０を更にハウジング２内に押し込んでいくと、係止部１２ｇは、その傾斜面７０によって係止部材５０を下側から押し上げていく。そして、係止部材５０に対する傾斜面７０の押し上げ力が解除された時点すなわちスライド部材１２が接続位置に位置された時点で、係止部材５０は、その弾性復元力により、係止部１２ｇの溝１２ｈに落ち込んでこれと係止するようになる。その状態が図６に示されている。
【００４５】
この図６に示される状態において、係止部材５０は、スライド部材１２の係止部１２ｇの端面４９と弾性的に係止することにより、ハウジング２に対するスライド部材１２の移動を規制し（圧縮バネ４５の付勢力に打ち勝ち）、スライド部材１２をその接続位置に保持する。また、この図６の状態では、トレイ１０上のカードＣの外部接続端子が対応するコネクタ端子５と接触されるとともに、カード挿入口４がトレイ１０の閉塞部１０ｂによって閉塞される。
【００４６】
次に、この図６の状態で、トレイ１０をハウジング２から引き出す場合には、図７に示されるように、トレイ１０の閉塞部１０ｂの変位部８０を押圧するなどして弾性的に変形させることにより、変位部８０を操作部５５側に向けて変位させ、変位部８０によって操作部５５を圧縮バネ６３の付勢力に抗してその待機位置から作用位置へと移動させる。これにより、可動体６０の作用部６０ａの傾斜面５３は、図示のように、係止部材５０に当て付くようになる。
【００４７】
この図７の状態から変位部８０を介して操作部５５を更に押し込んでいくと、作用部６０ａは、その傾斜面５３によって係止部材５０を下側から押し上げていく。そして、係止部材５０がスライド部材１２の係止部１２ｇを乗り越える位置まで押上げられると、係止部材５０と係止部１２ｇとの係止状態が解除され、スライド部材１２は、図８に示されるように圧縮バネ４５の付勢力により排出位置へと移動され、それに伴ってトレイ１０もカード挿入口４を通じてハウジング２の外部へと押し出される。その後、スライド部材１２の当接端面１２ａが移動規制壁１９に突き当たり、スライド部材１２が排出位置に位置されると、図４に示される最初の状態となり、トレイ１０からカードＣを取り出すことが可能になる。なお、係止部材５０と係止部１２ｇとの係止状態が解除された時点で、変位部８０に対する押圧力を解除すると、変位部８０がその弾性復元力により元の直線状態に戻り、操作部５５も圧縮バネ６３の付勢力により元の待機位置に復帰する。また、この時、係止部材５０もその弾力習性によりスライド部材１２の移動経路中に突出する元の位置へと復帰する。
【００４８】
以上説明したように、本実施の形態のカード用コネクタ装置１では、カード挿入口４を閉塞するためのトレイ１０の閉塞部１０ｂに変位可能な変位部８０が設けられ、この変位部８０を変位させることにより操作部５５を操作できるようになっている。そのため、操作部５５を敢えて外部に露出させる必要がなくなり、見栄えの良い外観を提供することができる。
【００４９】
また、本実施の形態のカード用コネクタ装置１では、カードＣの電気的な接続を行う接続位置で操作部５５（変位部８０）によりスライド部材１２と係止部材５０との係止状態を解除できるため、すなわち、スライド部材１２を接続位置から圧縮バネ４５の付勢力に抗してハウジング２の奥へと更に移動させることなくスライド部材１２のロック状態を解除することができるため、スライド部材１２を接続位置から更にハウジング２の奥へと移動させることができるスペースをハウジング２内に確保しなくても済む。そのため、ハウジング２全体、したがって、コネクタ装置１全体をコンパクトに形成することができる（装置の小型化を図ることができる）。
【００５０】
また、本実施の形態のカード用コネクタ装置１においては、閉塞部１０ｂの変位部８０と操作部５５とが操作部５５の操作方向に沿って並設されているため、変位部８０による操作部５５の操作性が良好であり、また、操作部５５を閉塞部１０ｂの変位部８０によって隠しているため、見栄えを効果的に向上させることができる。
【００５１】
また、本実施の形態のカード用コネクタ装置１では、変位部８０が弾性変形可能であるため、変位部８０を簡単に変位させることができ、また、変位部８０による操作部５５の操作性も良好となる。
【００５２】
また、本実施の形態のカード用コネクタ装置１において、閉塞部１０ｂは、ハウジング２が組み込まれる筐体１００のフロントパネル１００ａと面一に配設されているため、コネクタ装置１及びこれが組み込まれる筐体１００全体の見栄えを良くすることができる。
【００５３】
また、本実施の形態のカード用コネクタ装置１において、前記ロック機構及び前記ロック解除機構は、カム溝やロックピン等を用いた複雑な機構ではなく、単にスライド部材１２に対して係止部材５０を係脱させるだけの機構であるため、スライド部材１２のロック及びその解除を簡単かつ安価に実現できる。
【００５４】
また、本実施の形態のカード用コネクタ装置１においては、スライド部材１２及び可動体６０の動作方向が互いに交差することなく一致しており、また、可動体６０の一方向の動作に連動させてスライド部材１２から係止部材５０を離脱させるようになっているため、スライド部材１２及び可動体６０をハウジング２にコンパクトに配設して装置の更なる小型化を図ることができるだけでなく、良好な操作性を実現することもできる。
【００５５】
また、本実施の形態のカード用コネクタ装置１においては、互いに別体を成すトレイ１０とスライド部材１２とにより移動体８が形成されているため、トレイ１０及びスライド部材１２の材料をそれぞれの機能に応じた適切な材料の中から個別に選択することができる。そのため、機能の向上及び製造コストの低減を効果的に行うことが可能になる。
【００５６】
なお、本発明は、前述した実施の形態に限定されず、その要旨を逸脱しない範囲で種々変形して実施できることは言うまでもない。例えば、前述した実施の形態では、変位部８０が弾性変形によって変位可能となっているが、変位部８０の変位形態は、変位部８０によって操作部５５を操作できさえすればどのようなものであっても良い。例えば、図９に示されるように、ヒンジ８４を介して変位部８０が閉塞部１０ｂの本体部８２に対して回動できるようになっていても良い。このようにすれば、変位部８０による操作部５５の操作性が良好であることは勿論のこと、本体部８２及び変位部８０の材料をそれぞれの機能に応じた適切な材料の中から個別に選択することもできる。そのため、機能の向上及び製造コストの低減を効果的に行うことが可能になる。また、前述した実施の形態では、スライド部材１２に対してトレイ１０が着脱自在に取り付けられているが、トレイ１０とスライド部材１２とが一体に形成されていても良い。また、前述した実施の形態では、係止部材５０がカバー部材２ｂと一体に形成されているが、係止部材５０を別体で用意し、これをカバー部材２ｂに対して取り付けるようにしても構わない。また、係止部材５０は、カバー部材２ｂに設けられている必要はなく、また、係止部材５０とスライド部材１２との係止状態の解除構成は、前述した実施の形態の構成に限らない。要は、スライド部材１２がその接続位置でロック解除されれば、その形態はどのようなものであっても構わない。
【００５７】
本発明は、カードの挿入・排出を伴うあらゆるコネクタ装置に対して適用することができる。
【図面の簡単な説明】
【００５８】
【図１】本発明の一実施の形態に係るカード用コネクタ装置の斜視図である。
【図２】図１の状態からカバー部材を取り除いた斜視図である。
【図３】図２の状態からトレイを取り除いた斜視図である。
【図４】（ａ）はスライド部材が排出位置にある時のカード用コネクタ装置の平面図、（ｂ）は（ａ）のＡ−Ａ線に沿う断面図である。
【図５】（ａ）はスライド部材の係止部が係止部材に突き当たった時のカード用コネクタ装置の平面図、（ｂ）は（ａ）のＢ−Ｂ線に沿う断面図である。
【図６】（ａ）はスライド部材が接続位置にある時のカード用コネクタ装置の平面図、（ｂ）は（ａ）のＣ−Ｃ線に沿う断面図である。
【図７】（ａ）は可動体の作用部が係止部材に突き当たった時のカード用コネクタ装置の平面図、（ｂ）は（ａ）のＤ−Ｄ線に沿う断面図である。
【図８】（ａ）はスライド部材のロック状態が解除された時のカード用コネクタ装置の平面図、（ｂ）は（ａ）のＥ−Ｅ線に沿う断面図である。
【図９】変位部の変形例を示すカード用コネクタ装置の斜視図である。
【符号の説明】
【００５９】
１    カード用コネクタ装置
２    ハウジング
２ａ    ハウジング本体
２ｂ    カバー部材
４    カード挿入口
８    移動体
１０    トレイ
１０ａ    載置部
１０ｂ    閉塞部
１２    スライド部材
４５    圧縮バネ（付勢手段）
５０    係止部材
５５    操作部
６０    可動体
６０ａ    作用部
８０    変位部
８２    本体部
Ｃ    カード
【図１】
2006127809.tif 000003
【図２】
2006127809.tif 000004
【図３】
2006127809.tif 000005
【図４】
2006127809.tif 000006
【図５】
2006127809.tif 000007
【図６】
2006127809.tif 000008
【図７】
2006127809.tif 000009
【図８】
2006127809.tif 000010
【図９】
2006127809.tif 000011